(57)【要約】【課題】  多数の洗濯ばさみからなる物干しハンガーから洗濯物を外すときに、洗濯ばさみを一つづつ解放させる手間を解消する為、複数の洗濯ばさみをまとめて解放できる一度に外せる物干しハンガーを提供する。【解決手段】  手でつまむ部分の長い洗濯ばさみ２を用い、てこの原理により弱い力で解放できるようにし、１本のロープ３で複数の洗濯ばさみをフレーム１ａに取り付けるシンプルな構造にして、ハンドル４でロープを引いて複数の洗濯ばさみを一度に解放できることを特徴とする。【選択図】  図１
2016059531.tif 000002
【特許請求の範囲】
【請求項１】
洗濯ばさみに挟まれた洗濯物を解放させる為に必要な力を二分の一以下に低減させる為に、洗濯ばさみの回転中心（支点）から洗濯物を挟む部分（作用点）までの長さに対する支点からつまみ部分（力点）までの長さの比率を、通常の洗濯ばさみの約２倍以上にし、この洗濯ばさみを複数使用することを特徴とする一度に外せる物干しハンガー。
【請求項２】
洗濯ばさみの力点部分にロープを貫通させる穴を設け、ハンガーのフレームにもその直線的部分に洗濯ばさみを配置する間隔でロープを通す部分を設け、
一本のロープを、洗濯ばさみの穴とフレームの穴に交互に通すことにより、複数の洗濯ばさみを、ロープを介してハンガーのフレームに保持し、
フレームのロープを通す部分は、ロープに沿って洗濯ばさみが動くのを止めるストッパーの役目も果たす構造とし、
洗濯ばさみの力点部の穴をロープが通り抜けることを一定の位置で止める為のストッパーをロープ上に設け、
ロープを引っ張ることにより洗濯ばさみの一対の力点部の間隔が狭まり、洗濯物が解放される構造としたことを特徴とする請求項１に記載の一度に外せる物干しハンガー。
【請求項３】
一度に解放させる洗濯ばさみの数と配置を自在に構成できることを特徴とする請求項１に記載の一度に外せる物干しハンガー。
【発明の詳細な説明】
【技術分野】
【０００１】
本発明は、多数の洗濯ばさみからなる物干しハンガーから洗濯物を外す際に、複数の洗濯ばさみを一度に解放できるように工夫した物干しハンガーに関するものである。
【背景技術】
【０００２】
多数の洗濯ばさみからなる物干しハンガーを利用する場合に、通常、干し終わった洗濯物を外すには、洗濯ばさみを一つづつ解放させるが、これをまとめて同時に解放できれば便利である。従来にも、このような利便性を求めて幾つかの考案がなされている。
【０００３】
例えば、特許文献１に開示されているハンガー式洗濯物干し具は、複数の洗濯ばさみとスペーサーを交互に並べて支杆材を貫通させる構造で、複数の洗濯ばさみを同時に片寄せることにより、一斉に拡開させる考案である。
【０００４】
また、特許文献２に開示されているワンタッチハンガーは、ハンガー枠の内側にスライドするベルトを設け、ベルトと洗濯バサミを連動させ、ノブの操作によりベルトをスライドさせてワンタッチで洗濯物を外す考案である。
【先行技術文献】
【特許文献】
【０００５】
【特許文献１】特開平７−２５５９９５
【特許文献２】特開２００７−２０３０３１（Ｐ２００７−２０３０３１Ａ）
【発明の概要】
【発明が解決しようとする課題】
【０００６】
しかしながら、これら従来の提案が商品化されたものは、現実の市場でなかなか見かけない。実際に日常使用する上での構造的な問題や、コストも含めた量産性などの課題が有ると推測される。
【０００７】
例えば、特許文献１のハンガー式洗濯物干し具は、洗濯物を干した際に、洗濯物の重さによって支杆材がたわみ、洗濯ばさみを片寄せ難くなるという構造的な課題及び耐久性の課題が潜在する。また、複数の洗濯ばさみを同時に片寄せる時に、女性や年配の利用者などが日常使用できる範囲を超えた強い力が必要になることも懸念される。
【０００８】
また、特許文献２のワンタッチハンガーは、ノブの操作でベルトをスライドさせて洗濯バサミを解放させる際に、洗濯バサミそのものを解放させる力のみならず、ベルトとハンガー枠及びノブ部分との接触部分で摩擦が発生し、特許文献１の場合と同様に実用的な範囲を超えた相当強い力が必要になると懸念される。更に、この提案は、ハンガー枠の内側 にベルトを設け、ベルトと洗濯バサミを連動させ、ノブでベルトをスライドさせるという複雑な構造である。従って、量産性の課題も大きい。
【０００９】
本発明は、以上のような点に鑑みてなされたものであって、多数の洗濯ばさみを一度に解放させる時に、その操作に必要な力が、女性や年配の利用者などが日常使用できる範囲内であって、且つ、構造をシンプルにして、量産性や耐久性の面でも商品化が現実的に可能な一度に外せる物干しハンガーを提供することを目的とする。
【課題を解決するための手段】
【００１０】
本目的を実現するために、本発明による一度に外せる物干しハンガーは、洗濯ばさみの形状を工夫することにより、洗濯ばさみを解放させる時に必要な力を、従来のものより大幅に低減させた。具体的には、洗濯ばさみの回転中心（支点）から洗濯物を挟む部分（作用点）までの長さに対する支点からつまみ部分（力点）までの長さの比率を、通常の洗濯ばさみの約２倍にした。これにより、洗濯物を解放させる為に必要な力点にかける力を約二分の一に低減させたことを特徴とする。
【００１１】
本発明による一度に外せる物干しハンガーは、各洗濯ばさみの両方の力点部分にロープを通す為の穴を設ける。ハンガーのフレームにもその直線的部分に洗濯ばさみを配置する間隔でロープを通す部分を設ける。一本のロープを、洗濯ばさみとフレームの穴に交互に通すことにより、複数の洗濯ばさみを、ロープを介してハンガーのフレームに保持する。
フレームのロープを通す部分は、ロープに沿って洗濯ばさみが動くのを止めるストッパーの役目も果たす構造とすることを特徴とする。
【００１２】
本発明による一度に外せる物干しハンガーは、洗濯ばさみの力点部の穴をロープが通り抜けることを一定の位置で止める為に、ロープ上にストッパーを設ける。これによって、ロープが引っ張られたときに、このロープのストッパーに隣接する洗濯ばさみの力点部もロープの動きに連動してロープが引っ張られる方向に動く。一方その洗濯ばさみのもう片方の力点部は、フレームのストッパーによって動きが止められる為、この一対の力点部は、ロープのストッパーとフレームのストッパーで挟まれる。このようにしてロープを引っ張ることにより、連動する複数の洗濯ばさみの洗濯物が一度に解放されることを特徴とする。
【発明の効果】
【００１３】
本発明によれば、多数の洗濯ばさみを一度に解放させる時に、女性や年配の利用者などが日常使用できる範囲内の力でその操作が可能となり、この便利な機能を実用化することが現実的になる。
【００１４】
また本発明によれば、構造がシンプルで、製品化、量産化が容易である。
【図面の簡単な説明】
【００１５】
【図１】本発明の一度に外せる物干しハンガーの洗濯物を挟んでいる状態の図
【図２】本発明の一度に外せる物干しハンガーの洗濯ばさみの図
【図３】本発明の一度に外せる物干しハンガーの洗濯物を解放した状態の図
【図４】本発明の一度に外せる物干しハンガーの斜視図
【発明を実施するための形態】
【００１６】
本発明の一度に外せる物干しハンガーについて、図１〜図４を用いて以下に説明する。
【００１７】
図２に示すように、本物干しハンガーの洗濯ばさみ２は、その回転中心（支点）２ａから洗濯物を挟む部分（作用点）２ｂまでの長さ２αに対する支点２ａからつまみ部分（力点）２ｃまでの長さ２βの比率を、通常の洗濯ばさみの約２倍とする。
【００１８】
図１に示すように、各洗濯ばさみの両方の力点部分２ｃにロープ３を通す為の穴（ロープ貫通穴）２ｄを設ける。ハンガーのフレーム１ａにもその直線的部分に洗濯ばさみを配置する間隔でロープ３を通す部分（洗濯ばさみ止め）１ｂを設け、そこにロープを貫通させる穴（ロープ貫通穴）１ｃを開ける。洗濯ばさみ止め１ｂは、ロープに沿った洗濯ばさみの動きを止めるストッパーの役目を持たせる為に図１に示す様な、またはこれに類似の形状にする。一本のロープを、洗濯ばさみのロープ貫通穴２ｄとフレームのロープ貫通穴１ｃに交互に通し、複数の洗濯ばさみ２を、ロープ３を介してハンガーのフレーム１ａに保持する。
【００１９】
洗濯ばさみのロープ貫通穴２ｄをロープが通り抜けることを一定の位置で止める為に、ロープ３にストッパー３ａを設ける。
【００２０】
フレームの端の洗濯ばさみ止めを通り抜けたロープ３にハンドル４を付ける。
【００２１】
ロープ３の反対側のロープ端を、図１に示す様なフレーム１ａの位置に設けたロープエンド１dに固定する。
【００２２】
図３に示すように、ハンドル４を引くことにより、ロープ３が引っ張られ、ロープのストッパー３ａに隣接する洗濯ばさみの力点部分２ｃもロープの動きに連動してロープが引っ張られる方向に動く。同じ洗濯ばさみのもう一方の力点部２ｃは、フレームの洗濯ばさみ止め１ｂによって動きが止められる為、一対の力点部２ｃの互いの間隔が狭まり、連動しているすべての洗濯ばさみの洗濯物が一度に解放される。
【００２３】
図４に示すように、複数の洗濯ばさみを用いて物干しハンガーを構成する。図４の場合は、１本のロープで４つの洗濯ばさみを連動させ、一つのハンドルで２本のロープを同時に引く構造とし（８個の洗濯ばさみが同時に解放される。）、これを４セット配置したものである。この構成の場合、両手でハンドルＡとハンドルＢを引き離すように操作すれば、一度に１６個の洗濯ばさみを解放できる。
尚、１本のロープに連結する洗濯ばさみの数や同時に引くロープの本数並びにこれらを何セット配置するかに付いては、この限りではなく多種多様な構成が可能である。
【００２４】
本発明は以上のような構造である。本発明を使用するときは、一般的な洗濯ばさみを使う時と同様に、一対の力点２ｃ付近をつまんで洗濯物を挟み、洗濯物を外す時は、ハンドル４を引いて、一度に複数の洗濯ばさみを解放させる。図４の構成の場合は、一度に１６個の洗濯ばさみを解放できる。
【符号の説明】
【００２５】
１      物干しハンガー
１ａ    フレーム
１ｂ    洗濯ばさみ止め
１ｃ    ロープ貫通穴
１ｄ    ロープエンド
２      洗濯ばさみ
２ａ    支点
２ｂ    作用点
２ｃ    力点
３      ロープ
３ａ    ストッパー
４      ハンドル
【図１】
2016059531.tif 000003
【図２】
2016059531.tif 000004
【図３】
2016059531.tif 000005
【図４】
2016059531.tif 000006